(57)【要約】【課題】本発明は歩行動作により疲労回復やマッサージ効果を与える、足裏と接する靴下内部や足裏と接する履物靴底に使用する足つぼ刺激シートおよび足裏に直接貼り付ける足つぼ刺激シールを提供することを目的とする。また、他人から見られる恥ずかしさを防ぐ隠匿性のある足つぼ刺激シートおよび足つぼ刺激シールを提供する。【解決の手段】平らな底面をもつ突起物（１）を突起物装着シート（２）へ接着もしくは熱圧着した足つぼ刺激シート（ａ）を、靴下や履物内部に挿入して使用することを特徴とする。また、接着補助シール（３）に突起物（１）を貼り付けた足つぼ刺激シール（ｂ）を、足裏に直接貼り付けて使用することを特徴とする。【選択図】図１
2020081825.tif 000002
【特許請求の範囲】
【請求項１】
足裏と接する靴下内部や足裏と接する履物靴底との間にセットされて使用される足つぼ刺激シートであって、前記足つぼ刺激シートは、平らな底面をもつ有数の突起物と、すくなくとも足裏の一部の形状にあった突起物装着シートから成ることを特徴とした足つぼ刺激シート。
【請求項２】
前記、請求項１記載の突起物は、足つぼを刺激することを目的とした底が平坦で突起物装着シートに接着あるいは熱圧着が可能な独立したもので、その材料にあっては樹脂類、ゴム類、金属、磁石、木材、セラミックスなど、人の体重に耐えうる強度のものを用いることが可能で特に限定されない。当該突起物は使用者の好みに応じて、様々な大きさ、厚み、形状、固さを選び装着できることを特徴とし、突起物装着シートに接着もしくは熱圧着して、使用者自らが刺激したい足つぼに接触するように設計を可能とする。また、突起物装着シートの底面は滑りにくく、且つクッションの働きを有する素材を設けて成り、突起物装着シート自体は使用者自ら刃物等で切断することにより形状を変えることができ、着脱可能であることを特徴とした足つぼ刺激シート。
【請求項３】
前記、請求項１または２記載の足つぼ刺激シートであって、突起物の突起物装着シートへの接着を補助する軟質性樹脂により形成される接着補助シールを用いた足つぼ刺激シート。
【請求項４】
前記、請求項１あるいは２記載の突起物と請求項３記載の軟質性樹脂により形成される接着補助シールから成ることを特徴とした足つぼ刺激シール。
【発明の詳細な説明】
【技術分野】
【０００１】  本発明は足裏にあたる部分に使用する、突起物を有してなる足つぼ刺激シートおよび足つぼ刺激シールに関するものである。
【背景技術】
【０００２】  一般的に足つぼを刺激する中敷にあっては、特定の履物に合うように成形されていたので、ひとつの中敷で形状の異なる様々な履物への汎用性がなく、ましてや靴下内部に対応したものは他に類を見なかった。また、使用者の希望に応じた足つぼを刺激する強さや微妙な位置調整も出来ないものであった。【０００３】  さらに、中敷で着脱を可能としたものにあっては、足裏全体を網羅する中敷であって出し入れに時間を要し、さらに使用していることを他人に見られる恥ずかしさもあった。
【先行技術文献】
【０００４】
【特許文献１】特開２０１３−０５２２２３号（段落番号００１５、００２２、００２５〜００２７、図４、図５）
【非特許文献】
【発明の概要】
【発明が解決しようとする課題】
【０００５】  健康サンダルのように突起物が網羅的に固定されたものでは、突起物の刺激が足裏全体に分散されてしまい、その刺激も慢性化してしまう。また、突起や膨らみを有した中敷にあっては、使用者自ら刺激したい部位と強度を選ぶことはできず、また、ひとつの中敷で形状の異なる他の履物への併用は困難であった。【０００６】  特許文献１に記載の履物内部に使用する中敷にあっては、特定の履物の形状にあわせて該中敷の大きさを調整したものに限定され、汎用性がない点で改良の余地が認められる。【０００７】  足つぼを刺激する中敷を使用するにあたって、履物本来の装飾やデザインを損なうことなく、また、他人から使用していることが露見しにくい隠匿性のあるものは無かった。本発明は、以上の欠点を解決するためにある。
【課題を解決するための手段】
【０００８】  本発明に係る足つぼ刺激シートは、使用者自らが任意に刺激の強さや範囲を考え突起物の形状や大きさ、突起物の数を選択し、突起物を突起物装着シートに配置・装着して使用する。また、足つぼ刺激シート自体は刃物等を用いて加工することが可能であり、様々な履物に併用できることはもとより、足裏と接する靴下内部にも使用を可能とする。【０００９】  また、足つぼ刺激シールにあっては、突起物と接着補助シールを用いて足裏に直接貼り付け使用することを可能とする。
【発明の効果】
【００１０】  使用者自らが任意に構成した足つぼ刺激シート、あるいは足つぼ刺激シールを使用することにより、歩行動作に伴って自動的に特定の足つぼを集中的に刺激することで足裏の疲労感を削減でき、健康の促進を図ることができる。【００１１】  使用者自らが足つぼ刺激シートの形状を加工することにより、履物の種類や足のサイズを選ばずに併用することが可能で、足裏と接する靴下内部に挿入することでも使用を可能とし、履き方にとらわれない。【００１２】  また、足つぼ刺激シート、あるいは足つぼ刺激シールを用いることにより他人より見られる恥ずかしさを防ぐ隠匿性が得られる。
【図面の簡単な説明】
【００１３】
【図１】  実施例１に係る足つぼ刺激シートの外観斜視図である。
【図２】  実施例１におけるＡ−Ａ線拡大断面図である。
【図３】  実施例２に係る足つぼ刺激シールを模式的に示した斜視図である。
【発明を実施するための形態】
【００１４】  本発明を実施するための形態を図に基づいて説明する。ただし、以下で説明する実施形態はあくまで一例であり、また、各実施例の中で説明されている諸要素及びその組み合わせの全てが本発明の解決手段に必須であるとは限らず、本発明の足つぼ刺激シート及び足つぼ刺激シールは、以下の実施形態に限定されるものではない。
【実施例１】
【００１５】  図１は、使用者自らが刺激したい強度を考慮し任意に選択した突起物（１）を刺激したい足つぼの場所に合わせて、足裏の一部にあった突起物装着シート（２）に接着もしくは熱圧着して装着した足つぼ刺激シート（ａ）である。接着を容易にするために接着補助シール（３）を用いてある。【００１６】  ここに使用する突起物（１）は水平方向の直径３ｍｍ〜６ｍｍ、鉛直方向の直径２ｍｍ〜６ｍｍ前後のものを使用する。長時間、あるいは立ち姿勢での使用では径の小さい突起物、座位や家庭内では径の大きい突起物を使用することを推奨したい。【００１７】  使用法は使用者が使用する履物もしくは足裏と接する靴下内部に当該足つぼ刺激シート（ａ）を挿入し、歩行運動をすることで特定の足つぼを刺激することができる。【００１８】  当該足つぼ刺激シート（ａ）は使用者の好みにより刃物等で大きさを加工することが可能であり、着脱も容易で他の履物にも併用ができる。【００１９】  図２に示すように、突起物（１）を突起物装着シート（２）に接着あるいは熱圧着するにあたり、粘着力をもつ軟質性樹脂により形成される接着補助シール（３）を利用したものである。接着補助シール（３）を用いることにより、突起物（１）を容易に突起物装着シート（２）に接着させることができる。
【実施例２】
【００２０】  実施例２を図３を基に説明する。接着補助シール（３）の粘着面を足裏と向かい合わせ、その上に突起物（１）を配置し、足裏に直接貼りつけることで足つぼ接着シール（ｂ）として利用が可能となる。【００２１】  以上に述べたように、本発明の足つぼ刺激シートおよび足つぼ刺激シールは、使用して歩く動作により、足裏に接した突起物が荷重による押圧運動で、集中的に任意の足つぼを刺激して血液の循環を促進し足裏の疲労感を削減でき、健康の促進を図ることができる。【００２２】  また、他人から見られる恥ずかしさを防ぐ隠匿性を確保しながら、日常的に楽しみながら、気軽に、経済的に、尚且つ、使用する場所を選ばずに足つぼを刺激することが可能となる。
【産業上の利用可能性】
【００２３】  本発明の足つぼ刺激シートおよび足つぼ刺激シールは、様々な履物や足裏に利用を可能とし、汎用性があり、尚且つ、隠匿性も備えていることから、産業上、優れた発明である。
【符号の説明】  １  突起物
２  突起物装着シート
３  接着補助シール
ａ  足つぼ刺激シート
ｂ  足つぼ刺激シール
【図１】
2020081825.tif 000003
【図２】
2020081825.tif 000004
【図３】
2020081825.tif 000005